(57)【要約】【課題】  屋根下地材の上に施工した防水シートの上に積載物が載架される、積載物の屋根への支持構造において、屋根の防水性を損なうことなく、積載物の防水シートへの沈み込みを防止し、積載物を強固に支持すること。【解決手段】  屋根下地材１１の上に施工した防水シート１２Ａの上に積載物３０が載架される、積載物３０の屋根１０への支持構造において、アンカー１３が防水シート１２Ａの上から、該アンカー１３の頭面が防水シート１２Ａのシート面と面一になるまで、屋根下地材１１に打ち込まれ、アンカー１３の頭面と、その周辺の防水シート１２Ａのシート面とがパッチシート１５で覆われ、パッチシート１５の上に積載物３０が載置されるもの。【選択図】  図２
2011231597.tif 000002
【特許請求の範囲】
【請求項１】
屋根下地材の上に施工した防水シートの上に積載物が載架される、積載物の屋根への支持構造において、
アンカーが防水シートの上から、該アンカーの頭面が防水シートのシート面と面一になるまで、屋根下地材に打ち込まれ、
アンカーの頭面と、その周辺の防水シートのシート面とがパッチシートで覆われ、
パッチシートの上に積載物が載置されることを特徴とする積載物の屋根への支持構造。
【請求項２】
前記積載物が前記防水シートの上に載架される支持部を備える請求項１に記載の積載物の屋根への支持構造。
【請求項３】
前記屋根下地材に打ち込まれたアンカーの頭面の上に板材が設置され、板材と、その周辺の防水シートのシート面とがパッチシートで覆われる請求項１又は２に記載の積載物の屋根への支持構造。
【請求項４】
前記屋根下地材と防水シートの間に、該屋根下地材より柔らかい中間層が介装されてなる請求項１〜３のいずれかに記載の積載物の屋根への支持構造。
【請求項５】
前記屋根下地材が軽量気泡コンクリートである請求項１〜４のいずれかに記載の積載物の屋根への支持構造。
【請求項６】
前記積載物に連結したワイヤを屋根の一方側から屋根の他方側に固定してなる請求項１〜５のいずれかに記載の積載物の屋根への支持構造。
【発明の詳細な説明】
【技術分野】
【０００１】
本発明は太陽電池モジュール等の積載物の屋根への支持構造に関する。
【背景技術】
【０００２】
従来、太陽電池モジュールの取付構造として、特許文献１に記載の如く、軽量気泡コンクリート（ＡＬＣ）等の屋根下地材の上に施工した塩ビ系防水シートの上に支持具が載置され、この支持具の上に太陽電池モジュールを載架したものがある。更に、この太陽電池モジュールの取付構造では、支持具にワイヤをかけ、該ワイヤを屋根の一方側から屋根の他方側に固定している。
【先行技術文献】
【特許文献】
【０００３】
【特許文献１】特開2005-133333
【発明の概要】
【発明が解決しようとする課題】
【０００４】
しかしながら、従来技術では、支持具が載置される防水シートが柔軟であったり、屋根下地材と防水シートの間に該屋根下地材より柔らかい断熱材等の中間層が介装されていると、積載物の重量を受ける支持具が経時的に防水シートに沈み込む。これにより、防水シートの破損や水溜りを生ずるおそれがある。
【０００５】
本発明の課題は、屋根下地材の上に施工した防水シートの上に積載物が載架される、積載物の屋根への支持構造において、屋根の防水性を損なうことなく、積載物の防水シートへの沈み込みを防止し、積載物を強固に支持することにある。
【課題を解決するための手段】
【０００６】
請求項１に係る発明は、屋根下地材の上に施工した防水シートの上に積載物が載架される、積載物の屋根への支持構造において、アンカーが防水シートの上から、該アンカーの頭面が防水シートのシート面と面一になるまで、屋根下地材に打ち込まれ、アンカーの頭面と、その周辺の防水シートのシート面とがパッチシートで覆われ、パッチシートの上に積載物が載置されるようにしたものである。
【０００７】
請求項２に係る発明は、請求項１に係る発明において更に、前記積載物が前記防水シートの上に載架される支持部を備えるようにしたものである。
【０００８】
請求項３に係る発明は、請求項１又は２に係る発明において更に、前記屋根下地材に打ち込まれたアンカーの頭面の上に板材が設置され、板材と、その周辺の防水シートのシート面とがパッチシートで覆われるようにしたものである。
【０００９】
請求項４に係る発明は、請求項１〜３のいずれかに係る発明において更に、前記屋根下地材と防水シートの間に、該屋根下地材より柔らかい中間層が介装されてなるようにしたものである。
【００１０】
請求項５に係る発明は、請求項１〜４のいずれかに係る発明において更に、前記屋根下地材が軽量気泡コンクリートであるようにしたものである。
【００１１】
請求項６に係る発明は、請求項１〜５のいずれかに係る発明において更に、前記積載物に連結したワイヤを屋根の一方側から屋根の他方側に固定してなるようにしたものである。
【発明の効果】
【００１２】
（請求項１）
(a)積載物は、屋根下地材に打ち込まれたアンカーを覆うパッチシートの上に載置される。積載物はアンカーを介して屋根下地材に支持され、防水シートに沈み込むのを防止できる。
【００１３】
(b)アンカーが防水シートを破るものの、アンカーの頭面と、その周辺の防水シートのシート面とがパッチシートで覆われる。これにより、屋根の防水性を損なうこともない。
【００１４】
（請求項２）
(c)積載物の支持部をパッチシートの上に安定的に載置できる。
【００１５】
（請求項３）
(d)屋根下地材に打ち込まれたアンカーの頭面の上に板材が設置され、板材と、その周辺の防水シートのシート面とがパッチシートで覆われる。積載物は、アンカーの上に設置される板材を覆うパッチシートの上に安定的に載置されるものになる。
【００１６】
（請求項４）
(e)屋根下地材と防水シートの間に、該屋根下地材より柔らかい中間層が介装されても、積載物はアンカーを介して屋根下地材に支持され、防水シートに沈み込むのを防止できる。
【００１７】
（請求項５）
(f)屋根下地材がＡＬＣ（軽量気泡コンクリート）であるとき、積載物はアンカーを介してＡＬＣに安定的に支持される。
【００１８】
（請求項６）
(g)積載物に連結したワイヤを屋根の一方側から屋根の他方側に固定することにより、積載物を風力等に抗して安定的に支持できる。
【図面の簡単な説明】
【００１９】
【図１】図１は積載物の屋根への支持構造を示す模式図である。
【図２】図２は図１の要部拡大断面図である。
【発明を実施するための形態】
【００２０】
図１に示す如く、陸屋根又は傾斜屋根等の屋根１０（バルコニー屋根であっても可）では、支持具２０を介して太陽電池モジュール等の積載物３０を支持している。
【００２１】
屋根１０は、図２に示す如く、ＡＬＣからなる屋根下地材１１の上に施工したゴム系や、塩ビ系等の高分子系の防水シート１２Ａの上に支持具２０の脚２１が突き当て載置され、この支持具２０の上に積載物３０が取付けられて載架される。本実施例では、屋根下地材１１と防水シート１２Ａの間に、屋根下地材１１より柔らかい断熱材等の中間層１２Ｂが介装される。
【００２２】
ここで、複数本、例えば３本（図１、図２の断面視では２本のみ図示）のアンカービス１３が防水シート１２Ａの上から、該アンカービス１３のビス頭面１３Ａが防水シート１２Ａのシート面と面一になるまで、中間層１２Ｂを経て屋根下地材１１に打ち込み螺合される。アンカービス１３のビス頭面１３Ａの上にはカバー鋼板等の平板材１４が設置され、板材１４と、その周辺の防水シート１２Ａのシート面とがパッチシート１５で覆われる。板材１４はアンカービス１３のビス頭面１３Ａ及びその周辺の防水シート１２Ａのシート面に接着され、パッチシート１５は板材１４及びその周辺の防水シート１２Ａのシート面に接着される。パッチシート１５の上に積載物３０の支持具２０の脚２１が突き当て支持される。尚、板材１４は不採用とすることもできる。
【００２３】
支持具２０（積載物３０でも可）にワイヤ４０をかけ、ワイヤ４０を屋根１０の一方側から、屋根１０の他方側に固定する。本実施例では、支持具２０の側面に設けたワイヤグリップ４１にワイヤ４０を通し、ワイヤ４０の一端を屋根１０の一方側のパラペット１６等の強固な躯体に設けた接続仕口１６Ａに固定し、ワイヤ４０の他端を屋根１０の他方側のパラペット１６等の強固な躯体に設けた接続仕口１６Ｂに固定する。
【００２４】
以下、屋根１０への積載物３０の支持構造の具体的施工例について説明する。
(1)屋根下地材１１の上に中間層１２Ｂ、防水シート１２Ａを設ける防水工事後に、防水シート１２Ａの上における積載物３０の支持部分をマークする。積載物３０の全重量を300kg／カ所程度にする複数カ所の支持部分に分散し、各支持部分の防水シート１２Ａの上に各支持具２０を載置するものにする。
【００２５】
(2)積載物３０の支持部分で、ＡＬＣ用アンカービス１３（商品名アリンコ等）を防水シート１２Ａの上から、該アンカービス１３のビス頭面１３Ａが防水シート１２Ａのシート面と面一になるまで、中間層１２Ｂ、屋根下地材１１に打ち込み螺合する。例えば、皿頭径8mm、長さ150mmのアンカービス１３を屋根下地材１１に40mm以上打ち込む。アンカービス１３の長期支持荷重を100kg／本とするとき、３本のアンカービス１３をビス間隔40mmで打ち込み、当該支持部分の長期支持荷重300kg／カ所を得る。アンカービス１３の本数により、当該支持部分の長期支持荷重の耐力を強化できる。
【００２６】
(3)３本のアンカービス１３のビス頭面１３Ａの上に、板厚3.2mm、直径60mmのカバー鋼板からなる板材１４を設置する。この板材１４と、その周辺の防水シート１２Ａのシート面を直径150mmのパッチシート１５で覆う。防水の納まりを確実にするものになる。
【００２７】
(4)板材１４の上に位置するパッチシート１５に支持具２０の脚２１を突き当て支持する。支持具２０の脚２１の直径を50mm以上にする。支持具２０にSUS等からなるワイヤ４０をかけ、ワイヤ４０を屋根１０の一方側のパラペット１６から、屋根１０の他方側のパラペット１６に固定する。ワイヤ４０は、必要に応じ、メンテ時に増緊張される。
【００２８】
積載物３０は、屋根１０の上で、通常は該積載物３０の重量で安定的に支持されるが、風や地震又は人為的な力に対してはワイヤ４０により移動防止される。
【００２９】
本実施例によれば、以下の作用効果を奏する。
(a)積載物３０の重量を受ける支持具２０は、屋根下地材１１に打ち込まれたアンカービス１３を覆うパッチシート１５の上に載置される。支持具２０が受ける積載物３０の重量はアンカービス１３を介して屋根下地材１１に支持され、支持具２０が防水シート１２Ａに沈み込むのを防止できる。
【００３０】
(b)アンカービス１３が防水シート１２Ａを破るものの、アンカービス１３のビス頭面１３Ａと、その周辺の防水シート１２Ａのシート面とがパッチシート１５で覆われる。これにより、屋根１０の防水性を損なうこともない。
【００３１】
(c)屋根下地材１１に打ち込まれたアンカービス１３のビス頭面１３Ａの上に板材１４が設置され、板材１４と、その周辺の防水シート１２Ａのシート面とがパッチシート１５で覆われる。支持具２０は、アンカービス１３の上に設置される板材１４を覆うパッチシート１５の上に安定的に載置されるものになる。
【００３２】
(d)屋根下地材１１と防水シート１２Ａの間に、該屋根下地材１１より柔らかい中間層１２Ｂが介装されても、支持具２０が受ける積載物３０の重量はアンカービス１３を介して屋根下地材１１に支持され、支持具２０が防水シート１２Ａに沈み込むのを防止できる。
【００３３】
(e)屋根下地材１１がＡＬＣ（軽量気泡コンクリート）であるとき、支持具２０が受ける積載物３０の重量はアンカービス１３を介してＡＬＣに安定的に支持される。
【００３４】
(f)支持具２０又は積載物３０にワイヤ４０をかけ、該ワイヤ４０を屋根１０の一方側から屋根１０の他方側に固定することにより、積載物３０を風力等に抗して安定的に支持できる。
【００３５】
以上、本発明の実施の形態を図面により記述したが、本発明の具体的な構成はこの実施の形態に限られるものではなく、本発明の要旨を逸脱しない範囲の設計の変更等があっても本発明に含まれる。例えば、本発明のアンカーは、アンカービスに限らず、アンカーボルト等であっても良い。
【００３６】
本発明では、積載物自体を防水シートの上に載架するものでも良い。また、積載物の支持部は、積載物と別体の支持具とするものに限らず、積載物と一体の支持脚部等であって良い。
【産業上の利用可能性】
【００３７】
本発明によれば、屋根下地材の上に施工した防水シートの上に積載物が載架される、積載物の屋根への支持構造において、屋根の防水性を損なうことなく、積載物の防水シートへの沈み込みを防止し、積載物を強固に支持することができる。
【符号の説明】
【００３８】
１０  屋根
１１  屋根下地材
１２Ａ  防水シート
１２Ｂ  中間層
１３  アンカービス（アンカー）
１３Ａ  ビス頭面（頭面）
１４  板材
１５  パッチシート
２０  支持具（支持部）
２１  脚
３０  積載物
４０  ワイヤ
【図１】
2011231597.tif 000003
【図２】
2011231597.tif 000004